(57)【要約】      （修正有）【課題】廃棄物収容箱内の区画パターンおよびその容積を任意に設定可能とする。【解決手段】廃棄物収容箱１ａのメイン収容箱１０では、内部に開口面より空間１５が形成されており、この空間を仕切る仕切壁１６が取り付けられて環型蛍光灯１８、ボール型電球２０といった各廃棄物の収容部１７，１９を隔てるようになっている。この仕切壁１６は、着脱可能に取り付けられ、任意の位置で取り付けられるようになっており、例えば、空間１５の奥行きに合わせたもの、幅に合わせたもの、それらを分割したものといったように、様々な長さのものを互いに組み合わせて任意の区画パターンを設定することができる。【選択図】図２
2015098392.tif 000002
【特許請求の範囲】
【請求項１】
内部に形成された空間を任意の位置で着脱可能に仕切る仕切壁を有することを特徴とする廃棄物収容箱。
【請求項２】
互いに着脱可能な前記仕切壁を有する請求項１に記載の廃棄物収容箱。
【請求項３】
前記仕切壁を前記空間の開口面端部において着脱可能に取り付ける取付具を有し、
この取付具は、天板または底板と、これより直角に伸びる複数の側板とを有するとともに、前記側板間に前記仕切壁を挿入する溝が形成される請求項１または２に記載の廃棄物収容箱。
【請求項４】
前記取付具は、全体形状が対称に形成され、かつ前記溝の両側面が前記側板により対をなして形成される請求項３に記載の廃棄物収容箱。
【請求項５】
前記取付具は、折り曲げ可能な薄片よりなる請求項４に記載の廃棄物収容箱。
【請求項６】
前記取付具は、その形状に合わせてミシン目が形成された板材より切り離して使用される請求項５に記載の廃棄物収容箱。
【請求項７】
前記ミシン目は、前記空間を囲む枠または既設の前記仕切壁の厚さが異なる場合に、その厚さに合わせて異なった形状に前記取付具を切り離せるように形成される請求項６に記載の廃棄物収容箱。
【請求項８】
前記仕切壁は、折り畳んだ際に互いに固定される面ファスナーと、これらの面ファスナー間をつなぐ補強部材とを有する請求項１から７のいずれかに記載の廃棄物収容箱。
【請求項９】
前記仕切壁により仕切られて形成された収容部のうち環型蛍光灯の収容のために割り当てられた区画が設定されるとともに当該区画には前記環型蛍光灯を置く台が備えられ、
この台は、前記廃棄物収容箱から引き出すためのガイド部材と、前記環型蛍光灯の移動を抑えるための係止具とを有する請求項１から８のいずれかに記載の廃棄物収容箱。
【請求項１０】
前記ガイド部材は前記台の中心部に設けられた棒状の部材であって径の異なる前記環型蛍光灯が大径の蛍光灯ほど外周に位置するように掛けられ、前記係止具は前記環型蛍光灯のうち最大径の蛍光灯の外周が接する位置と最小径の蛍光灯の内周が接する位置とに設けられ、
かつ隣り合う蛍光灯の大きい方の内周と小さい方の外周との間に緩衝部材が設けられる請求項９に記載の廃棄物収容箱。
【請求項１１】
前記仕切壁により仕切られて形成された収容部のうち環型蛍光灯の収容のために割り当てられた区画が設定されるとともに当該区画には前記環型蛍光灯を置く台が備えられ、
この台は、収容する径の異なる前記環型蛍光灯ごとに掛けるための掛け部材と、これらの掛け部材の長さ方向にスライド可能に設けられる係止具とを有する請求項１から８のいずれかに記載の廃棄物収容箱。
【請求項１２】
前記台は、キャスタまたはキャスタ台に取り付けられる請求項９から１１のいずれかに記載の廃棄物収容箱。
【請求項１３】
廃棄物収容箱の内部に形成された空間を任意の位置で着脱可能に仕切ることを特徴とする仕切壁。
【請求項１４】
廃棄物収容箱に仕切壁を取り付ける取付具であって、天板または底板と、これより直角に伸びる複数の側板とを有するとともに、前記側板間に前記仕切壁を挿入する溝が形成されることを特徴とする取付具。
【請求項１５】
環型蛍光灯の収容のために割り当てられた区画が設定された廃棄物収容箱の当該区画に前記環型蛍光灯を置く台であって、収容する径の異なる前記環型蛍光灯ごとに掛けるための掛け部材と、これらの掛け部材の長さ方向にスライド可能に設けられる係止具とを有することを特徴とする台。
【発明の詳細な説明】
【技術分野】
【０００１】
本発明は、仕切壁を有する廃棄物収容箱、その仕切壁、これを廃棄物収容箱に取り付ける取付具および廃棄物収容箱に備える台に関する。
【背景技術】
【０００２】
リサイクルを目的とした廃棄物収容箱においては、一つの箱で複数の区画に分けられるとスペースやコストを低減しつつ分別が容易となり便利である。
【０００３】
この利便性を考慮して、特許文献１では、外容器の形状に対応した複数の内容器を収容可能としたゴミ箱が提案されている。
【０００４】
また、特許文献２では、コンテナ内部に中容器と小容器とを組み合わせて収容可能とした廃棄物運搬コンテナが提案されている。
【先行技術文献】
【特許文献】
【０００５】
【特許文献１】特開２００２−１８７６０１号公報
【特許文献２】実用新案登録第３１１４５６９号公報
【発明の開示】
【発明が解決しようとする課題】
【０００６】
ところで、環境への影響を考慮して、蛍光灯、電池、体温計、ライター等の有害物質を含んでいるとともに破損物に触れると負傷のおそれがある廃棄物については、種類や形状によって細かく分類する必要があるので、廃棄物収容箱も多くの区間に分けることが望まれる。
【０００７】
しかしながら、特許文献１の提案では、決まった形状の内容器が収容されるため、区画数が内容器の数に制限されるし、各区画の容積も内容器のサイズにより制限されてしまう。
【０００８】
また、特許文献２の提案では、中容器と小容器を組み合わせるため区画パターンを増やすことはできるが、各区間の容積は中容器または小容器のサイズに制限されてしまうし、容器により区画を分けることから設定できる区画パターンの数にも限界があった。つまり、容器である以上、そのサイズを変化させることは不可能であり、コンテナ全体の容積と中容器および小容器のそれぞれの容積により設定できる区画パターンの数も決まってしまっていた。
【０００９】
さらに、蛍光灯においては、環型蛍光灯は、その形状より破損しやすい問題がある。そのため、廃棄物収容箱において、これを収容する区画においては、環状蛍光灯をスムーズに取り出せる工夫がなされることが望ましい。
【００１０】
本発明の第１の目的は、廃棄物収容箱内の区画パターンおよびその容積を任意に設定可能とすることにある。
【００１１】
本発明の第２の目的は、廃棄物収容箱から環状蛍光灯をスムーズに取り出せるようにすることにある。
【課題を解決するための手段】
【００１２】
＜１＞  内部に形成された空間を任意の位置で着脱可能に仕切る仕切壁を有することを特徴とする廃棄物収容箱である。
【００１３】
＜２＞  互いに着脱可能な前記仕切壁を有する＜１＞に記載の廃棄物収容箱である。
【００１４】
＜３＞  前記仕切壁を前記空間の開口面端部において着脱可能に取り付ける取付具を有し、この取付具は、天板または底板と、これより直角に伸びる複数の側板とを有するとともに、前記側板間に前記仕切壁を挿入する溝が形成される＜１＞または＜２＞に記載の廃棄物収容箱である。
【００１５】
＜４＞  前記取付具は、全体形状が対称に形成され、かつ前記溝の両側面が前記側板により対をなして形成される＜３＞に記載の廃棄物収容箱である。
【００１６】
＜５＞  前記取付具は、折り曲げ可能な薄片よりなる＜４＞に記載の廃棄物収容箱である。
【００１７】
＜６＞  前記取付具は、その形状に合わせてミシン目が形成された板材より切り離して使用される＜５＞に記載の廃棄物収容箱である。
【００１８】
＜７＞  前記ミシン目は、前記空間を囲む枠または既設の前記仕切壁の厚さが異なる場合に、その厚さに合わせて異なった形状に前記取付具を切り離せるように形成される＜６＞に記載の廃棄物収容箱である。
【００１９】
＜８＞  前記仕切壁は、折り畳んだ際に互いに固定される面ファスナーと、これらの面ファスナー間をつなぐ補強部材とを有する＜１＞から＜７＞のいずれかに記載の廃棄物収容箱である。
【００２０】
＜９＞  前記仕切壁により仕切られて形成された収容部のうち環型蛍光灯の収容のために割り当てられた区画が設定されるとともに当該区画には前記環型蛍光灯を置く台が備えられ、この台は、前記廃棄物収容箱から引き出すためのガイド部材と、前記環型蛍光灯の移動を抑えるための係止具とを有する＜１＞から＜８＞のいずれかに記載の廃棄物収容箱である。
【００２１】
＜１０＞  前記ガイド部材は前記台の中心部に設けられた棒状の部材であって径の異なる前記環型蛍光灯が大径の蛍光灯ほど外周に位置するように掛けられ、前記係止具は前記環型蛍光灯のうち最大径の蛍光灯の外周が接する位置と最小径の蛍光灯の内周が接する位置とに設けられ、かつ隣り合う蛍光灯の大きい方の内周と小さい方の外周との間に緩衝部材が設けられる＜９＞に記載の廃棄物収容箱である。
【００２２】
＜１１＞  前記仕切壁により仕切られて形成された収容部のうち環型蛍光灯の収容のために割り当てられた区画が設定されるとともに当該区画には前記環型蛍光灯を置く台が備えられ、この台は、収容する径の異なる前記環型蛍光灯ごとに掛けるための掛け部材と、これらの掛け部材の長さ方向にスライド可能に設けられる係止具とを有する＜１＞から＜８＞のいずれかに記載の廃棄物収容箱である。
【００２３】
＜１２＞  前記台は、キャスタまたはキャスタ台に取り付けられる＜９＞から＜１１＞のいずれかに記載の廃棄物収容箱である。
【００２４】
＜１３＞  廃棄物収容箱の内部に形成された空間を任意の位置で着脱可能に仕切ることを特徴とする仕切壁である。
【００２５】
＜１４＞  廃棄物収容箱に仕切壁を取り付ける取付具であって、天板または底板と、これより直角に伸びる複数の側板とを有するとともに、前記側板間に前記仕切壁を挿入する溝が形成されることを特徴とする取付具である。
【００２６】
＜１５＞  環型蛍光灯の収容のために割り当てられた区画が設定された廃棄物収容箱の当該区画に前記環型蛍光灯を置く台であって、収容する径の異なる前記環型蛍光灯ごとに掛けるための掛け部材と、これらの掛け部材の長さ方向にスライド可能に設けられる係止具とを有することを特徴とする台である。
【００２７】
なお、本明細書において、「任意」という語は、予め定められないという趣旨で使用している。
【発明の効果】
【００２８】
本発明の廃棄物収容箱によれば、内部に形成された空間を任意の位置で着脱可能に仕切る本発明の仕切壁を有するので、この仕切壁を取り付ける位置によって、廃棄物収容箱内の区画パターンおよびその容積を任意に設定可能となる。
【００２９】
また、本発明の取付具によれば、天板または底板と、これより鉛直方向に伸びる複数の側板とを有するとともに、前記側板間に前記仕切壁を挿入する溝が形成されるので、溝に仕切壁を挿入することにより天板または底板と側板とで保持できる。これにより、仕切壁を廃棄物収容箱の任意の位置で着脱可能にでき、この仕切壁を取り付ける位置によって、廃棄物収容箱内の区画パターンおよびその容積を任意に設定可能となる。
【００３０】
さらに、本発明の台によれば、大きさの異なる環型蛍光灯ごとに掛けるための掛け部材と、これらの掛け部材の長さ方向にスライド可能に設けられる係止具とを有するので、掛け部材をガイドとして、環型蛍光灯を係止具に係止したまま廃棄物収容箱から台を引き出すことができる。これにより、廃棄物収容箱から環状蛍光灯をスムーズに取り出すことが可能となる。
【図面の簡単な説明】
【００３１】
【図１】図１は、本発明の廃棄物収容箱の一形態の概略斜視図である。
【図２】図２は、図１の廃棄物収容箱における下段側の配置を示す平面図である。
【図３】図３（ａ）は廃棄物収容箱の環型蛍光灯を置く台の一形態を示す平面図であり、（ｂ）は（ａ）のＩ−Ｉ線から見た図である。
【図４】図４は、図３（ａ）および（ｂ）の台の他の形態を示す平面図である。
【図５】図５（ａ）は図４の台の他の形態を示す平面図であり、（ｂ）は（ａ）のＩＩ−ＩＩ線から見た図である。
【図６】図６は、図１の廃棄物収容箱における上段側の配置を示す平面図である。
【図７】図７は、廃棄物収容箱の開口面端部を示す概略斜視図である。
【図８】図８（ａ）および（ｂ）は、それぞれ本発明の取付具の一形態を示す斜視図である。
【図９】図９（ａ）は本発明の取付具の他の形態を示す展開図であり、（ｂ）はこれに仕切壁を取り付けた状態を示す斜視図である。
【図１０】図１０（ａ）は図９の取付具の展開形状に合わせてミシン目が形成された板材の一例を示す図であり、（ｂ）は他の一例を示す図である。
【図１１】図１１（ａ）は本発明の廃棄物収容箱における他の形態の平面図であり、（ｂ）は（ａ）の構成で縦に設置した場合の一例を示す正面図である。
【図１２】図１２（ａ）は廃棄物収容箱の環型蛍光灯を置く台の他の形態を示す平面図であり、（ｂ）は（ａ）のＩＩＩ−ＩＩＩ線から見た図である。
【図１３】図１３（ａ）は本発明の廃棄物収容箱を縦に設置した場合の一例を示す正面図であり、（ｂ）はその平面図である。
【図１４】図１４は、図１３（ｂ）のＩＶ−ＩＶ線から見た図である。
【図１５】図１５は、図１１（ａ）および（ｂ）の台にキャスタ台を取り付けた例を示す図である。
【発明を実施するための形態】
【００３２】
本発明の実施の形態を、図面を参照しながら詳細に説明する。なお、全図において同一機能を有するものは原則として同一の符号を付すようにし、その繰り返しの説明は可能な限り省略するようにしている。
【００３３】
図１は本発明の廃棄物収容箱の一形態の概略斜視図であり、図２は図１の廃棄物収容箱における下段側の配置を示す平面図である。図３（ａ）は廃棄物収容箱の環型蛍光灯を置く台の一形態を示す平面図であり、図３（ｂ）は図３（ａ）のＩ−Ｉ線から見た図である。図４は図３（ａ）および（ｂ）の台の他の形態を示す平面図であり、図５（ａ）は図４の台の他の形態を示す平面図であり、図５（ｂ）は図５（ａ）のＩＩ−ＩＩ線から見た図である。図６は本発明の廃棄物収容箱における上段側の配置を示す平面図であり、図７は廃棄物収容箱の開口面端部を示す概略斜視図である。
【００３４】
図１に示す本発明の廃棄物収容箱１ａは、二段構成となっており、下段側のメイン収容箱１０と、これに重ねられてメイン収容箱１０より浅く形成された上段側のサブ収容箱１１とから主に構成されている。なお、これらの収容箱１０，１１は、いずれも単独でも本発明の廃棄物収容箱として機能する。これらの収容箱１０，１１としては、加工容易であり、かつ衝撃を吸収しやすいものであることが望まれ、例えばプラスチックダンボールや発泡プラスチックを含むものが好適に挙げられる。
【００３５】
メイン収容箱１０は、図１の例では、引出タイプの箱となっており、図中左側の相対的に容積の大きい引出し１２と、同右側の相対的に容積の小さい引出し１３とを備えており、取っ手１２ａ，１３ａにより、それぞれ開閉できるようになっている。
【００３６】
メイン収容箱１０の内部は、図２に示すように、上面を開口面として空間１５が形成されるとともに、この空間１５を奥行き方向に仕切る仕切壁１６が、引出し１２と引出し１３の境に沿って開口面両端部でメイン収容箱１０の幅方向と直交するように取り付けられている。そして、図２の例では、大きい方の引出し１２内に形成された収容部（区画）１７に環型蛍光灯１８が、小さい方の引出し１３内に形成された収容部１９にボール型電球２０が収容されるようになっている。なお、後述する例も含めて各収容部には、収容された廃棄物の取出しの便宜を考慮して適宜サブ容器や収容袋を配置してもよい。
【００３７】
このうち、環型蛍光灯１８を収容する収容部１７には、底部に、図３（ａ）および（ｂ）に示すように、その底面形状に合わせて方形状に形成された、環型蛍光灯を置く台２１を備えている。この台２１は、中心部と対角線上に等距離の４箇所の位置とに、それぞれに備えられた座金がビス止めされることにより取り付けられた棒２１ａ〜ｅが設けられている（なお、図２では全体構成の理解の便宜のために省略的に示している。）。このうち、中心部の棒２１ａは、環型蛍光灯１８を収容する際の中心位置を示す目印として機能する。また、対角線上の棒２１ｂ〜ｅは、図２に示すように、棒２１ａを中心とした場合に、最も大きいサイズ（径）の環型蛍光灯１８の外周が接して保持される位置に設けられている。つまり、環型蛍光灯は、径の違いにより、４０形、３２形、３０形、２０形、１５形といったサイズのものがあるが、棒２１ｂ〜ｅは、このうち最も大きいサイズである４０形が接するように設けられており、この環型蛍光灯の係止具として機能する。これらの棒２１ａ〜ｅは、台２１に固定されており、棒２１ａをガイドとして引っ張ることで台２１を廃棄物収容箱１内から引き上げられるようになっている。なお、図２の例では、台２１上に置いた環型蛍光灯の保護のため、棒２１ａと棒２１ｂ〜ｅの間に対角線に沿うようにしてクッション材２２ａ〜ｄが設けられている。
【００３８】
環型蛍光灯は、衝撃によって破損しやすく、破損すればその破片により負傷するおそれもある。そのため、環型蛍光灯を運ぶ際には、移動による揺れを抑えることが望まれるが、収容部１７では、中心の棒２１ａを持って引き上げられる台２１を備えているため、環型蛍光灯が棒２１ａにかかっていれば、揺れがその径の範囲に限定される。さらに、台２１の対角線上の棒２１ｂ〜ｅで最大サイズの環型蛍光灯を係止するため、揺れ動きを防げるとともに、より小サイズの環型蛍光灯においても、最大サイズのものの内径より狭い範囲での揺れに限定できるようになり、破損の危険性を著しく少なくすることができる。
【００３９】
また、図３の例では、係止具としては、最大サイズの環型蛍光灯を保持する棒２１ｂ〜ｅのみが設けられているが、例えば図４に示すように、棒２１ａを中心とした場合に、収容する環型蛍光灯のうち最も小さいサイズのものの内周が接する位置に小突起２３ａ〜ｄを設け、これを台２１の内側から環型蛍光灯を保持する係止具として機能させてもよい。なお、小突起２３ａ〜ｄは、環型蛍光灯を保持できれば設置数を少なくしてもよい。この小突起により、収容した環型蛍光灯の揺れを、さらに抑えることが可能となる。
【００４０】
さらに、例えば図５（ａ）および（ｂ）に示すように、棒２１ａを中心として、収容される環型蛍光灯の順次異なるサイズで、径が大きい方の内周と径が小さい方の外周の間に位置するように、線状の緩衝部材２３ｅ〜ｌを設けてもよい。この緩衝部材２３ｅ〜ｌとしては、例えば、弾力性のある薄い金属棒やプラスチック棒が好適に挙げられ、中でもスプリングやゴムといった弾性部材が、より好適に挙げられる。
【００４１】
一方、仕切壁１６は、着脱可能に取り付けられており、任意の位置で取り付けられるようになっている。図２の例では、引出し１２，１３があるため、空間１５の奥行きに沿って取り付けられているが、斜めに取り付けて三角コーナーができるようにしてもよい。また、この仕切壁１６は、例えば、空間１５の奥行きに合わせたもの、幅に合わせたもの、それらを分割したものといったように、様々な長さのものを互いに組み合わせて任意の区画パターンを設定することができる。この仕切壁１６としては、廃棄物収容箱１ａと同様の理由からプラスチックダンボールや発泡プラスチックを含むもの等が好適に挙げられ、折り曲げられる程度の柔軟性を持つものが、適宜、長さを変更できることから、より好適に挙げられる。
【００４２】
次に、サブ収容箱１１は、図６に示すように、上面が開口となっており、空間１５の幅に長さを合わせた仕切壁２４と、奥行きに長さを合わせつつ、相対的に短いものと長いものとにそれぞれ分けた仕切壁２５ａ，２５ｂとを備えている。この仕切壁２５ａ，２５ｂは仕切壁２４と端部（仕切壁２４とにより形成される開口面の端部）で直交するように連結されている。そして、図６の例では、前述の複数の仕切壁により仕切られた収容スペースのうち、最も容積が大きい収容部２６（図中奥方左側）に直管型蛍光灯２７を収容する。また、次に大きい容積であって互いに同程度の大きさに仕切られた２つの収容部２８，２９（図中手前両側）に破損管と乾電池を、それぞれ収容する。さらに、残った最も小さい容積のスペースに小箱３０，３１を配置し、図中奥側の大きい方の小箱３０に体温計を、その手前側の小さい方の小箱３１にライターを収容する。なお、サブ収容箱１１の上面の開口は、適宜、蓋により閉じてもよい。
【００４３】
また、図１、図２および図６では、全体概要の理解の便宜のため、細かい構成については省略しているが、通常、図７に示すように、各収容箱の空間１５の開口面端部における枠は、強度維持等のため、相対的に短い奥行き方向における枠３２ａの方が、これより長い幅方向における枠３２ｂより厚く形成されている。
【００４４】
ここで、各仕切壁の廃棄物収容箱への取付けあるいは仕切壁間での取付けの手段としては、使用中に頻繁に外れたり倒れたりすることがなければ特に制限はなく、通常このような仕切りの取付けの際に適用される手段であってよいが、取付具により取り付けることが一般的であるので好ましい。
【００４５】
図８（ａ）および（ｂ）は本発明の取付具の一形態を示す斜視図、図９（ａ）はその取付具の他の形態の仕切壁を取り付けた状態を示す斜視図、図９（ｂ）はこれに仕切壁を取り付けた状態を示す斜視図、図１０（ａ）は図９の取付具の展開形状に合わせてミシン目が形成された板材の一例を示す図、図１０（ｂ）は他の一例を示す図である。
【００４６】
図８（ａ）に示すように、取付具３３ａは、平面視でＬ字状の天板３４と、これよりいずれも直角に伸びる２つの外方の側板３５ａ，３５ｂおよび内方の側板３６ａ，３６ｂとから主に構成されている。なお、図示の例では、扱いやすさを考慮して各部の角が円弧状に形成されている。
【００４７】
天板３４は、直交する２つの面のうちの一方が相対的に広い幅に形成された幅広面３４ａとなっており、他方がこれより薄い幅に形成された幅薄面３４ｂとなっている。そして、幅広面３４ａから外方の側板３５ａが、幅薄面３４ｂから外方の側板３５ｂが、それぞれと対向する、内方の側板３６ａ，３６ｂとともに下方に伸びている。また、取付具３３ａは、天板３４の幅広面３４ａと外方の側板３５ａと内方の側板３６ａとによって、および幅薄面３４ｂと外方の側板３５ｂと内方の側板３６ｂとによって、それぞれ内面にガイド溝３７ａ，３７ｂが形成されている。つまり、前述したように、廃棄物収容箱では奥行き方向の枠の方が幅方向の枠より厚く形成されているため、取付具３３ａは、奥行き方向の枠には幅広面３４ａ側のガイド溝３７ａを挿入することで、幅方向の枠にはガイド溝３７ｂを挿入することで、取付可能である。
【００４８】
外方の側板３５ａ，３５ｂ間には、幅広面３４ａの幅と同程度の幅に形成された溝３８ａが、天板３４の幅広面３４ａの伸びる方向に沿って切り欠いて形成されており、この溝３８ａに上述した仕切壁を挿入して取り付けるようになっている。つまり、溝３８ａは、ガイド溝３７ａと連通し、これを利用することで仕切壁を挿入できるようになっている。
【００４９】
ここで、仕切壁は、厚さを廃棄物収容箱の奥行き方向の枠と合わせると嵩張るとともに、当該方向と直交して取り付けたい場合に挿入することができなくなってしまう。そのため、厚さを幅方向の枠と同程度に形成しておくことが好ましい。この場合、仕切壁を溝３８ａのように幅広の溝に挿入する際には、折り曲げて挿入することになる。
【００５０】
また、図８（ｂ）に示す取付具３３ｂのように、幅薄面３４ｂの側に、これと厚さを合わせた溝３８ｂを形成してもよい。なお、取付具３３ａ，３３ｂとしては、例えばプラスチック片が、加工が容易なこと等から好ましい。
【００５１】
一方、図９（ａ）および（ｂ）に示す取付具４０は、左右対称形の取付具の例である。また、図９（ｂ）は、仕切壁２４が廃棄物収容箱に既設であり、仕切壁２５ａが取付具４０により仕切壁２４に連結される例である（図６参照）。
【００５２】
取付具４０は、天板４１と、外方の側板４２と、内方の側板４３ａ，４３ｂとが形成されるという基本構成は、上述した取付具３３ａ，３３ｂと概ね同様である。しかしながら、具体的な構成および形状では、上述の取付具３３ａ，３３ｂと異なっている。
【００５３】
つまり、取付具４０は、図９（ａ）に示すように、仕切壁の取付前は対称形に展開されており、取付時には、図９（ｂ）に示すように、対称形を維持したまま、外方の側板（この図では見えなくなる）が既設の仕切壁２４の外側に折り曲げられるとともに、内方の側板４３ａ，４３ｂが天板４１を挟んで折り曲げられて使用するようになっている。そのため、内方の側板４３ａ，４３ｂが対をなして形成され、この一対の側板４３ａ，４３ｂを両側面として、取付対象の仕切壁２４を挿入する溝４４が形成される。
【００５４】
天板４１は、図９（ａ）に示す取付前の展開状態において、外方の側板４２と内方の側板４３ａ，４３ｂとをつなぐ連結部４１ａと、ここから内方の側板４３ａ，４３ｂ間に挟まれて伸びる基部４１ｂとから構成されている。そして、連結部４１ａの長さが既設の仕切壁２４の厚さ分に相当するように形成されており、図９（ｂ）に示すように、仕切壁２５ａの取付時には、連結部４１ａが仕切壁２４の上面（厚み部分に該当）に当接する。なお、図示の例では、折り曲げやすくするように、天板４１と外方の側板４２との境界部分、天板４１と内方の側板４３ａ，４３ｂとの境界部分には、それぞれ折り目（図中に番号は付けず）が付けられている。
【００５５】
取付具４０を仕切壁２５ａに取り付けた際には、図９（ｂ）に示すように、仕切壁２５ａが、内方の側板４３ａ，４３ｂを折り曲げることにより、その内面に形成された溝４４に挿入された状態となる。また、天板４１により仕切壁２４，２５ａの上面に当接して、これらを保持しつつ、内方の側板４３ａ，４３ｂ（図９（ｂ）では４３ｂは見えず）が取付対象の仕切壁２５ａの両側面に、それぞれ当接して、これを保持する。つまり、内方の側板４３ａ，４３ｂは、仕切壁２５ａにのみ当接し、既設の仕切壁２４には当接しないようになっている。そのため、既設の仕切壁２４に当接する側板の厚さを考慮する必要がなくなり、その分の省スペース化を図ることができる。また、取付具４０に仕切壁２５ａを取り付けたまま折り畳むことができ、持ち運ぶ際の利便性が良くなる。さらに、両側から仕切壁２５ａを保持するため密着性が良い。
【００５６】
また、図９（ｂ）では、仕切壁２５ａの下端でも取付具４０により取り付けられている。下端での取付具４０への取付要領は、天板４１が底板として機能する以外は、既に説明した上端での取付けの場合と概ね同様である。このように下端でも取付具４０に取り付けることで、取付時や移動時に、双方でズレが抑えられて利便性が向上する。なお、図９（ｂ）では仕切壁同士の連結の場合を示しているが、仕切壁を廃棄物収容箱に取り付ける場合も同様に適用可能である。
【００５７】
また、図９（ｂ）の例では、仕切壁２４，２５ａの境中央部に保護材４５が介在し、この保護材４５の両端には一対の面ファスナー４６ａ，４６ｂが、一方が雄ファスナー、他方が雌ファスナーとなるように設けられている。移動時等の取付前の仕切壁２４，２５ａを折り畳んだ状態では、これら面ファスナー４６ａ，４６ｂを互いに貼り合わせる（図中矢印参照）ことにより、仕切壁２４，２５ａが固定されて揺れ動かないようになっている。面ファスナー４６ａ，４６ｂ間には、例えば布やフェルト等からなる補強部材４７が両者をつないで設けられており、開いた状態で、補強部材４７より内側の保護材４５が等辺となる二等辺三角形を形成するようになっている。なお、保護材４５の材料としては、通常プラスチックや木材の板に用いられるものを適宜選択して用いればよい。また、図９（ａ）および（ｂ）に示したような取付具４０を用いた場合のみならず、例えば、図８（ａ）および（ｂ）に示した取付具３３ａ，３３ｂ等、他の取付手段を適用した場合に、このように面ファスナーや補強部材を設けてもよい。
【００５８】
図９（ａ）および（ｂ）で説明した取付具４０は、既に述べたように折り曲げて使用されるため、折り曲げ可能な程度の薄片が用いられる。
【００５９】
また、取付具４０は展開状態の部材を折り曲げて使用されるため、図１０（ａ）に示すように、取付具４０と同じ材料の板材４８に、取付具４０の形状に合わせてミシン目４９を形成しておき、このミシン目４９に合わせて切り離して使用することができる。これにより、取付具４０を平面形状のまま持ち運べるので嵩張らず持ち運びが容易になる。また、例えば、取付具４０の必要個数が不明であったり、予想に反してその個数が増えた場合に、板材４８に余った取付具４０があれば、それを使用できるので作業効率の向上を図ることができる。
【００６０】
さらに、板材４８は、例えば図１０（ｂ）に示すように、天板４１に対応するミシン目４９を延ばした予備ミシン目５０ａを形成するとともに、この予備ミシン目５０ａの先端において外方の側板４２に対応する部分の幅方向に伸びる５０ｂを形成し、天板４１や外方の側板４２の長さを調整できるようにしてもよい。これにより、予備ミシン目５０ａ，５０ｂを利用して取付具４０を板材４８より切り離せば、同じ取付具４０において、取付対象の仕切壁を連結する既設の仕切壁や廃棄物収容箱の開口面端部の枠の厚さが異なる場合にも対応可能となる。なお、予備ミシン目は、図示の例より、さらに多段階に入れてもよいし、内方の側板４３ａ，４３ｂに対応する部分に入れてもよい。また、図１０（ａ）および（ｂ）の例では、取付具４０に相当するミシン目４９を４つ形成しているが、その数は適宜増減してよい。
【００６１】
以上説明してきたように、本発明の廃棄物収容箱では、自由に組み合わせることが可能な仕切壁を備えることから、大きなスペースを取りやすい蛍光灯について、環型と直管型の双方を、１つの箱において収容可能なように空間を配分することもできる。図１１（ａ）は、そのような、本発明の廃棄物収容箱における仕切壁のさらに他の形態の平面図であり、図１１（ｂ）は、図１１（ａ）を縦に設置した場合の正面図である。
【００６２】
図１１（ａ）に示す廃棄物収容箱１ｂは、図７や図１０（ｂ）で説明した仕切壁２４，２５ａ，２５ｂの他、仕切壁２４と同じ長さ（空間１５の幅方向に沿った長さ）のものを２つに分けた仕切壁５１，５２を、さらに備えている。これらのうち、仕切壁５１は、空間１５の左側から、仕切壁２５ｂの伸びる位置まで空間１５の幅方向に沿って伸びており、仕切壁５２は、仕切壁２５ｂの位置から当該方向に沿って空間１５の右側までと等しい長さとなっており、奥行き方向に転用されて仕切壁５２と連結されている。また、図１１（ａ）の例では、図７の例に比して仕切壁２５ａが右側に寄って取り付けられている。さらに、右側の相対的に小さい収容スペースには、図７の例と概ね同様に、それぞれ体温計とライター収容用の小箱３０，３１が配置されている。
【００６３】
空間１５の小箱３０，３１が配置されたスペース以外の部分は、収容部（区画）５３〜５７となっており、これらのうち、最も大きい収容スペースとなる中央部の収容部５５には直管型蛍光灯２７が収容されるようになっている。また、図中手前側の２つの収容部５３，５４のうち、左側の大きい方の収容部５３には環型蛍光灯（図９では図示せず）を、右側の小さい方の収容部５４にはボール型電球２０を、それぞれ収容するようになっている。そして、図中奥側の互いに同程度の大きさに形成された２つの収容部５６，５７のうち、左側の収容部５６には破損管を、右側の収容部５７には乾電池を、それぞれ収容するようになっている。
【００６４】
図１１（ａ）の例では、収容部５３に収容された環型蛍光灯は縦向きに保管されるが、収容部５３には、その際に環型蛍光灯の下部に負荷がかかって破損したりするのを防ぐような台を備えている。図１２（ａ）および（ｂ）は、そのような台を示す図であり、図１２（ａ）は廃棄物収容箱の環型蛍光灯を置く台の他の形態を示す平面図、図１２（ｂ）は図１２（ａ）のＩＩＩ−ＩＩＩ線から見た図である。
【００６５】
図１２（ａ）および（ｂ）に示すように、台５８は、上方の位置に、手前方向に伸びる棒５８ａ，５８ｂが設けられている。この棒５８ａ，５８ｂには、大きさの異なる環型蛍光灯１８を、それぞれ掛けるようになっており、棒５８ａ，５８ｂは、図示の例では棒５８ａに４０形、棒５８ｂに３０形が掛かるように設置されている。なお、台５８には、これら以外のサイズの環型蛍光灯が掛かるように、収容する蛍光灯の種類数に応じて、さらに棒を設置してもよい。
【００６６】
棒５８ａ，５８ｂには、係止具５９ａ，５９ｂが、それぞれ取り付けられており、いずれも図１２（ｂ）に矢印で示したように、棒５８ａ，５８ｂが伸びる方向（長さ方向）にスライド可能に取り付けられている。この係止具５９ａ，５９ｂは図示の例では円板上に形成された部材であり、棒５８ａ，５８ｂより突出して設けられており、この部分で棒５８ａ，５８ｂに掛けられた環型蛍光灯１８に当接するまでスライドさせて保持するようになっている。このような係止具５９ａ，５９ｂを設けたため、掛けた環型蛍光灯１８の揺れが抑えられ、脱落や衝突による破損を防ぎやすくなる。なお、図１２（ａ）に示すように、棒５８ａ，５８ｂは環型蛍光灯１８が外れにくいように断面が楕円形に形成されており、係止具５９ａ，５９ｂは環型蛍光灯１８との接触面積を増やすために断面が略真円形に形成されている。ただし、環型蛍光灯１８を係止可能であれば、特に制限はなく、いずれも他の断面形状としてもよい。
【００６７】
また、台５８は、水平方向に引き出せれば、棒５８ａまたは５８ｂをガイドとして出し入れできる。図１１（ｂ）は、そのような、図１１（ａ）の構成で縦に設置した場合の一例を示す正面図である。
【００６８】
図１１（ｂ）の例では、図１１（ａ）で説明した各収容部が、それぞれ内部に形成された引出し６０〜６４を有しており、中央の引出し６２に直管型蛍光灯が、図中左側に位置する第１の側部の上下の引出し６０，６１に、それぞれ破損管と乾電池が収容される。また、図中右側に位置する第２の側部の上下の収容部６３，６４に、それぞれボール型電球と環型蛍光灯が、収容される。各引出し６０〜６４には、内部に廃棄物を入れたり、持ち運んだりする際の便宜を考慮して、取っ手穴６０ａ〜６４ａが、それぞれ形成されている。
【００６９】
図１１（ａ）および（ｂ）に示した廃棄物収容箱１ｂでは、環型蛍光灯を縦向きに配置したので、収容箱を二段構成にしなくても、環型蛍光灯、直管型蛍光灯、ボール型電球、破損管、乾電池、体温計、ライターといった様々な廃棄物を収容することができる。
【００７０】
また、より多く廃棄物を収容できれば便利である。図１３（ａ）は、そのような、本発明の廃棄物収容箱を縦に設置した場合の一例を示す正面図であり、図１３（ｂ）はその平面図であり、図１４は図１３（ｂ）のＩＶ−ＩＶ線から見た図である。
【００７１】
図１３（ａ）に示すように、廃棄物収容箱１ｃは、左右で別々の収容箱６５，６６となっており、左側の収容箱６５に、上から順に体温計を収容する小箱３０、乾電池の収容部が内部に形成された引出し６７、破損管の収容部が内部に形成された引出し６８が配置されている。また、右側の収容箱６６では、上側にボール管の収容部が内部に形成された引出し６９が、下側に環型蛍光灯の収容部が内部に形成された引出し７０が配置さている。そして、各引出し６７〜７０には取っ手６７ａ〜７０ａが形成されている。なお、図示の例では、乾電池収容用の引出し６７の取っ手６７ａは開口となっており、ポストに郵便物を投函するように、取っ手６７ａから収容部内に乾電池を廃棄することができる。また、図１３（ｂ）に示すように、小箱３０の奥方にはライターを収容する小箱３１が配置されている。
【００７２】
この廃棄物収容箱１ｃのうち、収容箱６５では、図１３（ｂ）に示すように、乾電池収容用の引出し６７が小箱３１の奥方に、破損管収容用の引出し６８が引出し６７の奥方に、それぞれ突出するように、長い奥行きに形成されており、各引出し６７，６８の突出部分は、上面が閉鎖されている。そして、図１４に示すように、小箱３０，３１と引出し６７，６８以外の空いた部分が、直管型蛍光灯の収容部７１となっており、この収容部７１では上面を開口面としている。つまり、直管型蛍光灯は、長い管については上面から底面までが収容部７１となっている部分に収容する一方で、短い管については小箱３１、引出し６７，６８の奥方の余った部分に収容でき、収容スペースの効率化を図ることが可能となる。
【００７３】
また、図１３（ａ）に示す例では、廃棄物収容箱１ｃの正面右側の収容箱６６においては、環型蛍光灯収容用の引出し７０に、図１２（ａ）および（ｂ）で示した台５８（図１３（ａ）では図示せず）を備えており、各サイズの蛍光灯に対応する掛け部（図１２（ａ）および（ｂ）参照）の案内表示７２が描かれている。この案内表示７２では、例えば、色や長さを本来の掛け部とともに変えておき「右の色の大きさのバーにかけてください」と指示を記載しておくようにする。
【００７４】
そして、図１５に示すように、台５８は、キャスタ７４上に搭載されたキャスタ台７５に取り付けられて引出し７０内に備えられており、キャスタ台７５を走行させることで持ち上げることなく移動させることができ、よりスムーズな運搬が可能となる。なお、図１５の例では、台５８は、棒は５８ａ〜ｄの４本が設けられ、それぞれに合わせて係止具も５９ａ〜ｄの４つが設けられる。また、このキャスタ台７５は、図５等で説明した台２１に取り付けるようにしてもよい。その場合には、キャスタ台７５自体を台２１の構成として、キャスタ７４を直接、取り付けてもよい。
【００７５】
なお、図１３（ａ）〜図１４に示した廃棄物収容箱１ｃでは、効率的な配置を行うことに主点を置いているため図示を省略しているが、小箱３０，３１と引出し６７の間、引出し６７，６８の間、引出し６８と収容部７１の間に、本発明の仕切壁がそれぞれ設けられている。
【００７６】
以上、本発明の実施の形態を詳細に説明したが、本発明の廃棄物収容箱、仕切壁および取付具は、上記各実施の形態に限定されず、その範囲内で想定されるあらゆる技術的思想を含んでもよい。
【符号の説明】
【００７７】
１ａ〜ｃ                                        廃棄物収容箱
１０                                              メイン収容箱
１１                                              サブ収容箱
１２，１３，６０〜６４，６７〜７０                引出し
１２ａ，１３ａ，６０ａ〜６４ａ，６７ａ〜７０ａ    取っ手穴
１５                                              空間
１６，２４，２５ａ，２５ｂ，５１，５２            仕切壁
１７，１９，２６，２８，２９，５３〜５７，７１    収容部（区画）
１８                                              環型蛍光灯
２０                                              ボール型電球
２１，５８                                        台
２１ａ〜ｅ，５８ａ，５８ｂ                        棒
２２ａ〜ｄ                                        クッション材
２３ａ〜ｄ                                        小突起
２３ｅ〜ｌ                                        緩衝部材
２７                                              直管型蛍光灯
３０，３１                                        小箱
３２ａ，３２ｂ                                    枠
３３ａ，３３ｂ，４０                              取付具
３４，４１                                        天板
３４ａ                                            幅広面
３４ｂ                                            幅薄面
３５ａ，３５ｂ，４２                              外方の側板
３６ａ，３６ｂ，４３ａ，４３ｂ                    内方の側板
３７ａ，３７ｂ                                    ガイド溝
３８ａ，３８ｂ，４４                              溝
４１                                              天板
４１ａ                                            連結部
４１ｂ                                            基部
４５                                              保護材
４６ａ，４６ｂ                                    面ファスナー
４７                                              補強部材
４８                                              板材
４９                                              ミシン目
５０ａ，５０ｂ                                    予備ミシン目
５９ａ，５９ｂ                                    係止具
６５，６６                                        収容箱
７２                                              案内表示
【図１】
2015098392.tif 000003
【図２】
2015098392.tif 000004
【図３】
2015098392.tif 000005
【図４】
2015098392.tif 000006
【図５】
2015098392.tif 000007
【図６】
2015098392.tif 000008
【図７】
2015098392.tif 000009
【図８】
2015098392.tif 000010
【図９】
2015098392.tif 000011
【図１０】
2015098392.tif 000012
【図１１】
2015098392.tif 000013
【図１２】
2015098392.tif 000014
【図１３】
2015098392.tif 000015
【図１４】
2015098392.tif 000016
【図１５】
2015098392.tif 000017